(57)【要約】      （修正有）【課題】収納や取出しの作業が容易であり、収納時や取出し時や装置への装着時のローラ本体の変形や損傷や汚れを確実に防止することが可能なローラケースの提供。【解決手段】ローラ収納状態は、第１ケース体１１と第２ケース体１２との係合によって保持され、ローラ収納状態では、ローラ支持軸３の一端側の係止部６は、第１ケース体１１及び第２ケース体１２の一端側の第１開口部３５及び第２開口部３５を介して露出して装置４０側の軸係合部４１と係合可能であり、ローラ支持軸３の他端側の係止部は、第１ケース体１１及び第２ケース体１２の他端側の第１開口部及び第２開口部を介して露出して装置４０側の軸係合部と係合可能である。第１ケース体１１と第２ケース体１２との係合は、ローラ支持軸３の両端の係止部６を装置４０側の一側の軸係合部４１と他側の軸係合部とにそれぞれ係合した軸装着状態であっても解除可能である。【選択図】図３
2019156417.tif 000002
【特許請求の範囲】
【請求項１】
弾性多孔質材からなる円筒状のローラ本体の内周面がローラ支持軸の外周面に支持されたローラであり、前記ローラ支持軸の一端側及び他端側の係止部を装置側の一側及び他側の軸係合部にそれぞれ係合することによって前記装置に装着される前記ローラを収納するためのローラケースであって、
前記ローラ支持軸の一端側及び他端側を前記ローラ支持軸の軸方向と交叉する軸交叉方向の一方側から支持可能な一側及び他側の第１支持部と、前記軸交叉方向の他方側が開放された第１収容空間を前記一側の第１支持部と前記他側の第１支持部との間に区画する第１カバー部と、前記第１支持部に支持された前記ローラ支持軸の一端側及び他端側の前記係止部をそれぞれ露出させる一端側及び他端側の第１開口部とを有する第１ケース体と、
前記ローラ支持軸の前記一端側及び前記他端側を前記軸交叉方向の前記他方側から支持可能な一側及び他側の第２支持部と、前記軸交叉方向の前記一方側が開放された第２収容空間を前記一側の第２支持部と前記他側の第２支持部との間に区画する第２カバー部と、前記第２支持部に支持された前記ローラ支持軸の一端側及び他端側の前記係止部をそれぞれ露出させる一端側及び他端側の第２開口部とを有し、前記第１収容空間と前記第２収容空間とがローラ本体収容空間を区画するケース閉状態で前記第１ケース体に係合して前記ケース閉状態を保持可能な第２ケース体と、を備え、
前記ローラが収納されたローラ収納状態では、前記第１ケース体と前記第２ケース体との係合によって前記ローラ収納状態が保持され、前記ローラ本体は、前記第１ケース体及び前記第２ケース体から離間した状態で前記ローラ本体収容空間に収容されて前記第１ケース体及び前記第２ケース体に覆われ、前記ローラ支持軸の前記一端側及び前記他端側は、前記第１支持部と前記第２支持部との間で前記軸交叉方向から挟まれて保持され、前記ローラ支持軸の前記一端側の係止部は、前記一端側の第１開口部及び第２開口部を介して露出して前記装置側の前記一側の軸係合部と係合可能であり、前記ローラ支持軸の前記他端側の係止部は、前記他端側の第１開口部及び第２開口部を介して露出して前記装置側の前記他側の軸係合部と係合可能であり、
前記第１ケース体と前記第２ケース体との係合は、前記ローラ支持軸の前記一端側及び他端側の係止部を前記装置側の前記一側及び他側の軸係合部にそれぞれ係合した軸装着状態であっても解除可能である
ことを特徴とするローラケース。
【請求項２】
請求項１に記載のローラケースであって、
前記ローラ支持軸の少なくとも前記一端側では、前記ローラ本体の端面から突出する前記ローラ支持軸の軸端部が前記一側の第１支持部と前記一側の第２支持部との間に挟まれて保持され、
前記第１ケース体及び前記第２ケース体の少なくとも一方は、前記軸端部と当接して前記軸方向への前記ローラ支持軸の移動を規制する移動規制部を有する
ことを特徴とするローラケース。
【請求項３】
請求項１又は請求項２に記載のローラケースであって、
前記ローラ支持軸の少なくとも前記一端側には、軸落下規制部材が着脱自在に設けられ、
前記ローラ支持軸に設けられた前記軸落下規制部材の外周縁部の略全域は、前記ローラ本体の外周面よりも前記ローラ本体の径方向外側へ突出し、
前記第１ケース体及び前記第２ケース体の少なくとも一方は、前記軸落下規制部材の外周縁部と係合して前記軸落下規制部材の前記軸方向への移動を規制する軸落下規制部材係合溝を有し、
前記軸落下規制部材は、前記ローラ支持軸から前記軸交叉方向に分かれて離脱可能な複数の分割板を組合せることにより構成される
ことを特徴とするローラケース。
【発明の詳細な説明】
【技術分野】
【０００１】
本発明は、弾性多孔質材からなるローラ本体がローラ支持軸に支持されたローラを収納するためのローラケースに関する。
【背景技術】
【０００２】
特許文献１には、キャップを有する管状出荷用容器が記載されている。この管状出荷用容器は、ブラシを囲み保護するためのほぼ円筒状の剛性構造体を備え、空洞開口を有する内方空洞部を画定する。キャップは、空洞開口にて管状出荷用容器に結合することにより、管状出荷用容器の端部を囲む又は塞ぐように構成される。
【先行技術文献】
【特許文献】
【０００３】
【特許文献１】特表２０１５−５３２２４６号公報
【発明の概要】
【発明が解決しようとする課題】
【０００４】
特許文献１の管状出荷用容器では、管状出荷用容器にブラシ（弾性多孔質材からなるローラ本体）を収納する場合や収納されたブラシを管状出荷用容器から取出す場合、内方空洞部と外部との間で空洞開口を介してブラシを軸方向に沿って移動させる必要がある。このため、収納や取出しの作業が煩雑である。また、収納時や取出し時にブラシが管状出荷用容器に当たり、ブラシに変形や損傷や汚れが発生する可能性がある。
【０００５】
さらに、ブラシを装置に装着する場合、ブラシを把持して管状出荷用容器から取出した後、把持したブラシを装置に装着するので、装置へ装着する際にブラシに変形や損傷や汚れが発生する可能性がある。
【０００６】
そこで、本発明は、収納や取出しの作業が容易であり、ローラの収納時や取出し時や装置への装着時のローラ本体の変形や損傷や汚れを確実に防止することが可能なローラケースの提供を目的とする。
【課題を解決するための手段】
【０００７】
上記目的を達成すべく、本発明の第1の態様は、ローラを収納するためのローラケースであって、第１ケース体と第２ケース体とを備える。ローラは、ローラ本体とローラ支持軸とを有する。ローラは、弾性多孔質材からなる円筒状であり、ローラ本体の内周面はローラ支持軸の外周面に支持されている。ローラは、ローラ支持軸の一端側及び他端側の係止部を装置側の一側及び他側の軸係合部にそれぞれ係合することによって装置に装着される。
【０００８】
第１ケース体は、ローラ支持軸の一端側及び他端側をローラ支持軸の軸方向と交叉する軸交叉方向の一方側から支持可能な一側及び他側の第１支持部と、軸交叉方向の他方側が開放された第１収容空間を一側の第１支持部と他側の第１支持部との間に区画する第１カバー部と、第１支持部に支持されたローラ支持軸の一端側及び他端側の係止部をそれぞれ露出させる一端側及び他端側の第１開口部とを有する。第２ケース体は、ローラ支持軸の一端側及び他端側を軸交叉方向の他方側から支持可能な一側及び他側の第２支持部と、軸交叉方向の一方側が開放された第２収容空間を一側の第２支持部と他側の第２支持部との間に区画する第２カバー部と、第２支持部に支持されたローラ支持軸の一端側及び他端側の係止部をそれぞれ露出させる一端側及び他端側の第２開口部とを有する。第２ケース体は、第１収容空間と第２収容空間とがローラ本体収容空間を区画するケース閉状態で第１ケース体に係合してケース閉状態を保持可能である。
【０００９】
ローラが収納されたローラ収納状態では、第１ケース体と第２ケース体との係合によってローラ収納状態が保持され、ローラ本体は、第１ケース体及び第２ケース体から離間した状態でローラ本体収容空間に収容されて第１ケース体及び第２ケース体に覆われ、ローラ支持軸の一端側及び他端側は、第１支持部と第２支持部との間で軸交叉方向から挟まれて保持される。
【００１０】
ローラ収納状態において、ローラ支持軸の一端側の係止部は、一端側の第１開口部及び第２開口部を介して露出して装置側の一側の軸係合部と係合可能であり、ローラ支持軸の他端側の係止部は、他端側の第１開口部及び第２開口部を介して露出して装置側の他側の軸係合部と係合可能である。また、第１ケース体と第２ケース体との係合は、ローラ支持軸の一端側及び他端側の係止部を装置側の一側及び他側の軸係合部にそれぞれ係合した軸装着状態であっても解除可能である。
【００１１】
上記構成では、ローラケースにローラを収納する場合、ローラケースを、第１ケース体と第２ケース体との係合が解除されてローラ本体収容空間が開放されたケース開状態とし、例えば第１ケース体を第１収容空間が上方へ開口する姿勢に保持し、第１ケース体の上方からローラを下降させ、ローラ支持軸の一端側及び他端側を一側及び他側の第１支持部に載置する。係るローラ支持軸載置状態では、ローラ本体の下部が第１収容空間に収まり、ローラ本体の外周面の下側領域が第１カバー部に非接触状態で覆われる。次に、第１ケース体に第２ケース体を上方から被せて、第２ケース体を第１ケース体に係合する。係るローラ収納状態（ローラが収納されたケース閉状態）では、ローラ本体の上部が第２収容空間に収まり、ローラ本体の外周面の上側領域が第２カバー部に非接触状態で覆われ、ローラ本体がローラ本体収容空間に収容される。また、ローラ収納状態では、第１支持部と第２支持部との間でローラ支持軸の一端側及び他端側が軸交叉方向から挟まれて保持され、ローラ本体が第１ケース体と第２ケース体とによって覆われる。反対に、ローラケースからローラを取出す場合、第１ケース体と第２ケース体との係合を解除してケース開状態とし、例えばローラ支持軸の一端側と他端側とを両手の指先で支持してローラ（ローラ支持軸）を引き上げて、ローラを第１ケース体から取り出す。このように、ローラをローラケースに収納する場合や収納されたローラをローラケースから取出す場合、ローラを軸方向ではなく軸交叉方向に移動させるので、収納や取出しの作業を容易に行うことできる。また、収納時や取出し時にローラ本体がローラケース（第１ケース体）に接触し難く、ローラ本体の変形や損傷や汚れを確実に防止することができる。
【００１２】
また、ローラ収納状態では、ローラ支持軸の一端側及び他端側の係止部は、装置側の一側及び他側の軸係合部とそれぞれ係合可能であり、第１ケース体と第２ケース体との係合は、ローラ支持軸の一端側及び他端側の係止部を装置側の一側及び他側の軸係合部にそれぞれ係合した軸装着状態であっても解除可能である。このため、ローラ収納状態のローラを装置に装着する場合、作業者は、ローラ収納状態のままローラ支持軸の一端側及び他端側の係止部を装置側の一側及び他側の軸係合部に係合して軸装着状態とした後、第１ケース体と第２ケース体との係合を解除して第１ケース体及び第２ケース体をローラから取外すことができる。従って、作業者は、収納されたローラを装置に装着する際にローラ本体を把持してローラケースから取出す必要がなく、ローラ装着時のローラ本体の変形や損傷や汚れを防止することができる。
【００１３】
本発明の第２の態様は、第１の態様のローラケースであって、ローラ支持軸の少なくとも一端側では、ローラ本体の端面から突出するローラ支持軸の軸端部が一側の第１支持部と一側の第２支持部との間に挟まれて保持される。第１ケース体及び第２ケース体の少なくとも一方は、軸端部と当接して軸方向へのローラ支持軸の移動を規制する移動規制部を有する。
【００１４】
上記構成では、軸端部と移動規制部との係合によって軸方向へのローラ支持軸の移動が規制されるので、ローラをローラケースに収納して搬送する際等に、ローラケースとの接触に起因するローラ本体の変形や損傷や汚れを確実に防止することができる。
【００１５】
本発明の第３の態様は、第１又は第２の態様のローラケースであって、ローラ支持軸の少なくとも一端側には、軸落下規制部材が着脱自在に設けられる。ローラ支持軸に設けられた軸落下規制部材の外周縁部の略全域は、ローラ本体の外周面よりもローラ本体の径方向外側へ突出する。第１ケース体及び第２ケース体の少なくとも一方は、軸落下規制部材の外周縁部と係合して軸落下規制部材の軸方向への移動を規制する軸落下規制部材係合溝を有する。軸落下規制部材は、ローラ支持軸から軸交叉方向に分かれて離脱可能な複数の分割板を組合せることにより構成される。
【００１６】
上記構成では、ローラ収納状態のローラケースに意図しない外力が作用し、第１支持部と第２支持部とによるローラ支持軸の一端側の保持が解除された場合であっても、ローラケースに対するローラ支持軸の下降によるローラ本体とローラケースとの干渉を軸落下規制部材によって阻止することができ、ローラをローラケースに収納して搬送する際等に、ローラケースとの接触に起因するローラ本体の変形や損傷や汚れを確実に防止することができる。
【００１７】
また、軸落下規制部材を、ローラ支持軸から軸交叉方向に分かれて離脱可能な複数の分割板を組合せて構成しているので、ローラをローラ収納状態のまま装置に装着し（ローラ収納状態のままローラ支持軸の一端側及び他端側の係止部を装置側の一側及び他側の軸係合部に係合して軸装着状態とし）、第１ケース体と第２ケース体との係合を解除して第１ケース体及び第２ケース体をローラから取外す際に、軸落下規制部材を複数の分割板に分割してローラ支持軸から取外すことができる。
【発明の効果】
【００１８】
本発明のローラケースによれば、収納時や取出し時のローラ本体の変形や損傷や汚れを確実に防止することができる。
【図面の簡単な説明】
【００１９】
【図１】本発明の第１実施形態のローラケースのケース体を斜め上方から視た斜視図である。
【図２】第１実施形態のローラケースのローラ収納前の側面図である。
【図３】第１実施形態の一端側の側断面図である。
【図４】第１実施形態の他端側の側断面図である。
【図５】第１実施形態のローラ収納状態のローラを装置側に取付け、ローラケースを取外すローラ装着の手順を説明する図であり、（ａ）は装着前を、（ｂ）及び（ｃ）は装着途中を、（ｄ）は装着後をそれぞれ示す。
【図６】第１実施形態のローラの図であり、（ａ）は側面図、（ｂ）は端面図である。
【図７】第２実施形態のローラケースのローラ収納前の側面図である。
【図８】図７のローラ収容後の第１ケース体の前面図である。
【図９】第２実施形態の一端側の側断面図である。
【図１０】第２実施形態の他端側の側断面図である。
【図１１】第２実施形態のローラ収納状態のローラを装置側に取付け、ローラケースを取外すローラ装着の手順を説明する図である。
【図１２】第２実施形態のローラ及びフランジの図であり、（ａ）は上面図、（ｂ）は端面図である。
【図１３】移動規制部の変形例を示す側断面図である。
【図１４】移動規制部の他の変形例を示す側断面図である。
【発明を実施するための形態】
【００２０】
本発明の第１実施形態に係るローラ１及びローラケース１０について、図１〜図６を参照して説明する。ローラケース１０は、製造されたローラ１を搬送（出荷）する場合や保管する場合等において、ローラ１を保護する容器として使用される。
【００２１】
図６に示すように、ローラ１は、円筒状のローラ本体２の内周面がローラ支持軸３（回転軸５）の外周面に固定的に支持された所謂軸付きローラである。なお、以下の説明において、上下方向は略鉛直方向を意味し、前後方向は上下方向と略直交するローラ支持軸３（回転軸５）の軸方向を意味し、左右方向は、上下方向及び前後方向と略直交する方向を意味する。各方向は、ローラケース１０に収納されたローラ１の回転軸５が略水平に延びる状態を想定した方向である。
【００２２】
ローラ本体２は、弾性を有する軟質多孔質素材によって形成されている。ローラ本体２の外周面は、曲面形状であってもよく、多数の突起が曲面から突出する等の凹凸形状であってもよい。軟質多孔質素材としては、高分子化合物多孔質素材、例えば含水状態で弾性を有するポリビニルアセタール系多孔質素材（ＰＶＡｔ系多孔質素材）や、乾燥及び含水状態で共に弾性を有するポリウレタン系多孔質素材などが使用される。
【００２３】
本実施形態のローラ支持軸３は、回転軸５と前後のストッパ７とを備え、回転軸５及びストッパ７は、金属やプラスチックなどの硬質な材料によって形成されている。回転軸５は、例えば、ローラ本体２の内径以上の外径を有する略円柱状又は略円管形状であり、ローラ本体２の内径部に挿入されてローラ本体２を保持する。回転軸５の一端側（前端側）及び他端側（後端側）には、ローラ支持軸３（回転軸５）の軸方向に延びてローラ本体２の両端面（前後の端面）から突出する回転軸端部６が一体的に設けられている。回転軸端部６の外周には雄ネジ８が形成され、回転軸端部６の端面には、断面円形状の軸端面穴６ａが形成されている。
【００２４】
図３、図４及び図６に示すように、ストッパ７は、ローラ本体２の外径よりも僅かに小さい外径を有するドーナツ板状であり、ストッパ７の内径面には、回転軸端部６の雄ネジ８と螺合可能な雌ネジ９が形成されている。前後のストッパ７は、各ストッパ７の雌ネジ９を前後の回転軸端部６の雄ネジ８に螺合して締め込むことによってローラ本体２の端面近傍で回転軸５に固定（装着）され、回転軸５に対するローラ本体２の軸方向の移動を阻止する。
【００２５】
回転軸端部６とストッパ７とは、ローラ支持軸３の軸端部４を構成する。なお、回転軸にストッパを装着せず、雄ネジが形成されていない回転軸端部によってローラ支持軸の軸端部を構成してもよい。また、ストッパ７をネジの螺合以外の構造によって回転軸端部６に固定してもよい。
【００２６】
本実施形態では、回転軸５の前端（前側の回転軸端部６の先端）は、前側のストッパ７の前端面から僅かに前方へ突出し（図３参照）、回転軸５の後端（後側の回転軸端部６の先端）は、後述する支持凹部４４と係合可能なように後側のストッパ７の後端面から大きく後方へ突出する（図４参照）。
【００２７】
なお、回転軸５の外周の断面形状は、円形に限定されず、例えば多角形や凹凸を有する形状等であってもよい。ローラ本体２は、回転軸５との間の摩擦力のみによって回転軸５に保持されてもよく、接着剤等によって回転軸５に保持されてもよい。また、原料を含む液体（混合液）を型内で固化して多孔質素材（ローラ本体２）を製造する場合、回転軸５を型内にセットした状態で混合液を固化する（製造後のローラ本体２に回転軸５を挿入せずに、ローラ本体２を回転軸５と一体的に形成する）ことによって、回転軸５にローラ本体２を保持させてもよい。また、回転軸５の前端（前側の回転軸端部６）は、前側のストッパ７の前端面から前方へ突出していなくてもよい。
【００２８】
図３〜図５に示すように、ローラ１が装着される装置４０は、処理対象物の表面（被処理面）を洗浄する洗浄装置や、被処理面から液体を除去する吸液装置や、被処理面に対して液体を供給する給液装置などであり、ローラ本体２の外周面を被処理面に回転接触させることによって洗浄等が行われる。装置４０には、ローラ支持軸３の前側（一端側）及び後側（他端側）の軸端部（係合部）４とそれぞれ係合可能な前側及び後側の軸係合部４１，４２が設けられ、ローラ支持軸３（回転軸５）は、前後の軸係合部４１，４２に前後の軸端部４をそれぞれ係合することによって、軸係合部４１，４２に対する相対回転が阻止された状態で装置４０に装着される。装置４０に装着された回転軸５は、前後の軸係合部４１，４２の少なくとも一方が駆動回転することによって回転し、回転軸５に固定的に支持されたローラ本体２が回転する。
【００２９】
本実施形態の前側の軸係合部４１は、前側の軸端部４（回転軸端部６）の軸端面穴６ａに挿入されて回転軸端部６の内周端と当接する支持凸部４３を有し（図３参照）、後側の軸係合部４２は、後側の軸端部４（回転軸端部６）が挿入されて回転軸端部６の外周端と当接する支持凹部４４を有する（図４参照）。前後の軸係合部４１，４２の前後方向（軸方向）の相対距離は変更可能であり、前後の軸係合部４１，４２を十分に離間させた状態で軸係合部４１，４２の間に回転軸５を挿入し（図５（ａ）参照）、前後の軸係合部４１，４２の一方又は双方を移動させて両者を徐々に近づけ、前側の回転軸端部６の軸端面穴６ａに支持凸部４３を挿入するとともに、後側の回転軸端部６を支持凹部４４に挿入することにより、回転軸５が軸係合部４１，４２によって前後から挟まれて支持される（図５（ｂ）参照）。すなわち、ローラ１の前後の回転軸端部６は、装置４０側の前後の軸係合部４１，４２とそれぞれ係合可能な係止部を構成する。ローラ１の回転軸５の軸心が装置４０の駆動回転軸の軸心に一致し易いように、支持凸部４３の外周面と支持凹部４４の内周面とはそれぞれテーパ状に形成されており、装置４０に装着された回転軸５の軸心は、装置４０側の駆動回転軸の軸心と略一致する（図５（ｄ）参照）。
【００３０】
なお、前後の軸係合部４１，４２の双方が支持凸部４３であってもよく、反対に支持凹部４４であってもよい。前後の軸係合部４１，４２の双方が支持凹部４４の場合、回転軸５の前端及び後端（前後の回転軸端部６の各先端）を、支持凹部４４と係合可能なように前側のストッパ７の前端面及び後側のストッパ７の後端面から前方及び後方へ大きく突出させる。また、支持凸部４３及び／又は支持凹部４４の形状は、テーパ状に限定されず、ローラ１の回転軸端部６と係合可能な形状であればよい。
【００３１】
図１〜図５に示すように、ローラケース１０は、下側の第１ケース体（下ケース）１１と上側の第２ケース体（上ケース）１２とを備える。本実施形態では、同一形状の２つのケース体２０を第１ケース体１１及び第２ケース体１２として用いる。ケース体２０（第１ケース体１１及び第２ケース体１２）は、その各部が真空成形等によって薄肉状に一体形成された樹脂製である。本実施形態のローラケース１０（ケース体２０）は、表面を指先で押圧すると弾性変形して凹む程度の肉厚を有し、ケース体２０を形成する樹脂としては、例えばＰＥＴ（ポリエチレンテレフタレート）、ＰＳ（ポリスチレン）、ＰＰ（ポリプロピレン）、ＰＥ（ポリエチレン）、ＡＢＳ（acrylonitrile butadiene styrene）、ＰＣ（ポリカーボネート）、ＰＶＣ（ポリ塩化ビニル）などが用いられる。なお、第１ケース体１１及び／又は第２ケース体１２を透明又は半透明の樹脂で形成することにより、収容物（ローラ１）が外部から視認可能となる。また、第１ケース体１１と第２ケース体１２とを、同一形状とせず異なる形状としてもよく、表面を指先で押圧しても容易に変形しない硬さとしてもよい。
【００３２】
ケース体２０は、矩形枠状（額縁状）のベース面部２１と、ベース面部２１の内周縁から軸交叉方向の一方側へ凹むカバー部２２とを一体的に有する。第１ケース体１１のカバー部２２は第１カバー部１３を構成し、第２ケース体１２のカバー部２２は第２カバー部１４を構成する。カバー部２２は、軸交叉方向の他方側へ開口する収容空間２３（第１収容空間１５、第２収容空間１６）を区画する。ケース体２０は、第１ケース体１１及び第２ケース体１２の双方として機能するように軸方向に対して左右対称に概略構成されている。２つのケース体２０（第１ケース体１１及び第２ケース体１２）は、その一方（第１ケース体１１）を、第１収容空間１５が上方へ開口する姿勢（基本姿勢）で置き、他方（第２ケース体１２）を、収容空間２３が下方へ開口するように基本姿勢から反転（軸方向を中心として１８０度回転）させた姿勢（反転姿勢）で第１ケース体１１に上方から重ねることによって使用される。
【００３３】
ベース面部２１は、矩形枠の長辺となる左右１対のベース長面部２４と、矩形枠の短辺となる前後１対のベース短面部２５とを有する。ベース長面部２４は、軸方向に沿って前後方向に延び、ベース短面部２５は、軸交叉方向に沿って左右方向に延びる。
【００３４】
カバー部２２は、左右１対のカバー側面部２６と、前後１対のカバー端面部２７と、カバー頂面部２８とを有する。カバー側面部２６は、ベース長面部２４の軸方向の中央部分の内縁から軸交叉方向の一方側（図１中の下方）へ延びる矩形状であり、カバー頂面部２８は、左右のカバー側面部２６の端縁を連結する矩形状である。カバー頂面部２８は、ケース体２０を基本姿勢とした場合にはカバー底面部となり、反転姿勢とした場合にはカバー上面部となる。なお、カバー部２２の形状は上記に限定されず、例えば、左右のカバー側面部とカバー端面部とが湾曲面状に連続する（全体で半円弧状に湾曲する）形状であってもよい。
【００３５】
前後のベース短面部２５には、ベース短面部２５から軸交叉方向の一方側（図１中の下方）へ半円弧状に凹むストッパ挿入部（前側ストッパ挿入部２９及び後側ストッパ挿入部３０）が形成されている。前側ストッパ挿入部２９及び後側ストッパ挿入部３０の内面は、ストッパ７の外周面に当接して支持可能なように、ストッパ７の外径と略等しい径を有する半円弧状の湾曲面である。第１ケース体１１の前側ストッパ挿入部２９及び後側ストッパ挿入部３０は第１支持部を構成し、第２ケース体１２の前側ストッパ挿入部２９及び後側ストッパ挿入部３０は第２支持部を構成する。
【００３６】
前側のカバー端面部２７は、前側ストッパ挿入部２９の後端縁及び前側ストッパ挿入部２９の両側のベース短面部２５の内縁と、左右のカバー側面部２６の前端縁と、カバー頂面部２８の前端縁とが区画する領域を閉止する。後側のカバー端面部２７は、後側ストッパ挿入部３０の前端縁及び後側ストッパ挿入部３０の両側のベース短面部２５の内縁と、左右のカバー側面部２６の後端縁と、カバー頂面部２８の後端縁とが区画する領域を閉止する。
【００３７】
左右のベース長面部２４には、係止突部３１及び係合凹部３２がそれぞれ形成されている。右側及び左側の係止突部３１は、ベース長面部２４から軸交叉方向の他方側へ突出し、右側及び左側の係合凹部３２は、左側及び右側の係止突部３１と係合可能にベース長面部２４から軸交叉方向の一方側へ凹む。基本姿勢のケース体２０と反転姿勢のケース体２０とが係合可能となるように、左側の係止突部３１と右側の係合凹部３２、及び左側の係合凹部３２と右側の係止突部３１は、それぞれ軸方向に対して左右対称に配置されている。なお、第１ケース体１１と第２ケース体１２とを異なる形状とする場合には、係止突部及び係合凹部の配置は上記に限定されない。
【００３８】
収容空間２３が上方へ開口する基本姿勢で一方のケース体２０（第１ケース体１１）を置き、収容空間２３が下方へ開口する反転姿勢の他方のケース体２０（第２ケース体１２）を、係止突部３１と係合凹部３２とを合わせて上方から重ねて押下げると、第２ケース体１２の係止突部３１が第１ケース体１１の係合凹部３２と係合し、第１ケース体１１の係止突部３１が第２ケース体１２の係合凹部３２と係合してケース閉状態となる。ケース閉状態は、係止突部３１と係合凹部３２との係合によって保持される。ケース閉状態では、第１ケース体１１のベース面部２１と第２ケース体１２のベース面部２１とが近接又は接触して相対向し、第１収容空間１５と第２収容空間１６とがローラ本体収容空間１７を区画する。
【００３９】
係止突部３１と係合凹部３２との係合が解除され、第１ケース体１１と第２ケース体１２とが分離されてローラ本体収容空間１７が開放されたケース開状態において、基本姿勢の第１ケース体１１の前側ストッパ挿入部２９及び後側ストッパ挿入部３０に前後のストッパ７をそれぞれ上方から載置し、第１ケース体１１に第２ケース体１２を重ねてケース閉状態とすることにより、ローラケース１０にローラ１が収納されたローラ収納状態となる。ローラ収納状態では、ローラ本体２が第１ケース体１１及び第２ケース体１２から離間した状態でローラ本体収容空間１７に収容され、第１ケース体１１の前側ストッパ挿入部２９及び後側ストッパ挿入部３０と第２ケース体１２の前側ストッパ挿入部２９及び後側ストッパ挿入部３０との間で前後のストッパ７が軸交叉方向から挟まれて保持され、第１ケース体１１及び第２ケース体１２によってローラ本体２の略全体が覆われる。
【００４０】
前側ストッパ挿入部２９の前端には、ケース前端面部３３が形成され、後側ストッパ挿入部３０の後端には、ケース後端面部３４が形成されている。ローラ収納状態において、ケース前端面部３３は、前側のストッパ７の前面に近接又は接触して前側のストッパ７の前方への移動を規制し、ケース後端面部３４は、後側のストッパ７の後面に近接又は接触して後側のストッパ７の後方への移動を規制する。すなわち、ローラ収納状態における回転軸５の軸方向及び軸交叉方向の移動は、前側ストッパ挿入部２９及びケース前端面部３３と後側ストッパ挿入部３０及びケース後端面部３４とによって阻止され、ケース前端面部３３とケース後端面部３４とは、ローラ支持軸３の軸端部４と当接して軸方向へのローラ支持軸３の移動を規制する移動規制部として機能する。
【００４１】
ケース前端面部３３には前開口３５が形成され、ケース後端面部３４には後開口３６が形成されている。前開口３５及び後開口３６は、回転軸端部６の外径よりも僅かに大きい径を有する半円形状であり、ケース閉状態において、第１ケース体１１の前開口３５と第２ケース体１２の前開口３５とは円形状の前開口孔１８を区画し、第１ケース体１１の後開口３６と第２ケース体１２の後開口３６とは円形状の後開口孔１９を区画する。なお、前開口孔１８及び後開口孔１９の形状は、略円形に限定されず、略矩形状等の他の形状であってもよい。また、回転軸端部６がストッパ７から突出しないように構成した場合、対応する開口（前開口及び／又は後開口）は、回転軸端部６の内径（軸端面穴６ａの径）よりも大きい径であればよい。
【００４２】
ローラ収納状態において、回転軸５の前端は、ケース前端面部３３の近傍に位置して前開口孔１８から前方へ露出し、回転軸５の後端は、後開口孔１９を挿通して後方へ突出する。すなわち、第１ケース体１１の前開口３５及び後開口３６は、第１ケース体１１の前側ストッパ挿入部２９及び後側ストッパ挿入部３０に支持されたローラ支持軸３の前後の回転軸端部６をそれぞれ露出させる前端側及び後端側の第１開口部を構成する。また、第２ケース体１２の前開口３５及び後開口３６は、第２ケース体１２の前側ストッパ挿入部２９及び後側ストッパ挿入部３０に支持されたローラ支持軸３前後の回転軸端部６をそれぞれ露出させる前端側及び後端側の第２開口部を構成する。
【００４３】
このように、ローラケース１０の前後に前開口孔１８及び後開口孔１９を設けているので、ローラ収納状態において、前側の回転軸端部６は、前開口孔１８を介して露出して装置４０の前側の軸係合部４１（支持凸部４３）と係合可能な状態となり、後側の回転軸端部６は、後開口孔１９を介して露出して装置４０の後側の軸係合部４２（支持凹部４４）と係合可能となる。また、前開口孔１８及び後開口孔１９は、第１ケース体１１側と第２ケース体１２側とにそれぞれ半円状に分割されるので、第１ケース体１１と第２ケース体１２との係合は、ローラ１を装置４０側に装着した軸装着状態（前後の回転軸端部６が前後の軸係合部４１，４２と係合した状態）であっても解除可能である。
【００４４】
なお、カバー頂面部２８に、外側へ突出してカバー頂面部２８を補強する複数のリブを形成してもよい。さらに、複数のリブを畝状リブ及び環状リブによって構成し、一方のケース体２０のカバー頂面部２８の外面と他方のケース体２０のカバー頂面部２８の外面とを対向させて重ねることにより、畝状リブが環状リブの内側に挿入されて係合するように、２つの畝状リブと２つの環状リブとをカバー長面部２８に対角状に配置してもよい。畝状リブと環状リブとの係合により、第１ケース体１１と第２ケース体１２との重なり状態が安定するので、ローラ収納状態のローラケース１０を多段に安定して積み重ねておくことが可能となる。
【００４５】
ローラケース１０にローラ１を収納する場合、ローラケース１０をケース開状態とし、第１ケース体１１を第１収容空間１５が上方へ開口する基準姿勢で置き、第１ケース体１１の上方からローラ１を下降させ、第１ケース体１１の前側ストッパ挿入部２９及び後側ストッパ挿入部３０に前後のストッパ７をそれぞれ上方から載置する。係る回転軸載置状態では、ローラ本体２の下部が第１収容空間１５に収まり、ローラ本体２の外周面及び両端面の下側領域が第１カバー部１３に非接触状態で覆われる。
【００４６】
次に、係止突部３１と係合凹部３２との位置を合わせながら第１ケース体１１に反転姿勢の第２ケース体１２を上方から被せて、係止突部３１を係合凹部３２に係合する。係るローラ収納状態（ローラ１が収納されたケース閉状態）では、ローラ本体２の上部が第２収容空間１６に収まり、ローラ本体２の外周面及び両端面の上側領域が第２カバー部１４に非接触状態で覆われ、ローラ本体２がローラ本体収容空間１７に収容される。また、ローラ収納状態では、第１ケース体１１の前側ストッパ挿入部２９及び後側ストッパ挿入部３０と第２ケース体１２の前側ストッパ挿入部２９及び後側ストッパ挿入部３０との間で前後のストッパ７が軸交叉方向から挟まれて保持され、ローラ本体５の略全体が第１ケース体１１と第２ケース体１２とによって覆われる。
【００４７】
ローラケース１０からローラ１を取出す場合、第２ケース体１２を第１ケース体１１から引き離すように持ち上げ、係止突部３１と係合凹部３２との係合を解除してケース開状態とし、軸端部４を両手で摘んでローラ１（回転軸５）を引き上げ、ローラ１を第１ケース体１１から取り出す。
【００４８】
上記ローラ１の収納や取出しに際しては、前後の軸端部４の端面に軸方向外側から両手の指先を当て、前後の軸端面穴６ａに指先を引っ掛けて回転軸５を支持した状態で、ローラ１（回転軸５）を昇降させることができる。
【００４９】
また、ローラケース１０に収納されたローラ１を装置４０に装着する場合、図５に示すように、装置４０の前後の軸係合部４１，４２を十分に離間させた状態で、回転軸５をケース収納状態のまま軸係合部４１，４２の間に挿入し（図５（ａ））、前後の軸係合部４１，４２の一方又は双方を移動させて両者を徐々に近づけ、前側の回転軸端部６の軸端面穴６ａに支持凸部４３を挿入するとともに、後側の回転軸端部６を支持凹部４４に挿入することにより、回転軸５を軸係合部４１，４２によって前後から挟んで支持する（図５（ｂ）参照）。これにより、ローラ１は、ローラケース１０に収納された状態のまま装置４０に装着される。
【００５０】
なお、軸係合部４１，４２の少なくとも一方がバネ等によって相手側に付勢され、係る付勢力に抗して一方の軸係合部を押込むことによって前後の回転軸端部６を前後の軸係合部４１，４２に係合可能に構成された装置４０の場合、ケース収納状態のまま一方の回転軸端部６で一方の軸係合部を押込むことによって、ローラ１を装置４０に装着することができる。例えば、前側の軸係合部４１が後方に付勢されている場合、前側の回転軸端部６を前側の軸係合部４１に係合させながら軸係合部４１を前方へ十分に押込み、後側の回転軸端部６を後側の軸係合部４２に係合させながら前方への押込みを解除することにより、前側の軸係合部４１の付勢力によって回転軸５が前後の軸係合部４１，４２に挟まれて支持される。
【００５１】
ケース収納状態のローラ１を装置４０に装着した後、作業者は、第１ケース体１１と第２ケース体１２とを掴んで軸交叉方向へ引き離し、係止突部３１と係合凹部３２との係合を解除してケース開状態とし、ローラ１からローラケース１０を取外す（図（ｃ）及び（ｄ））。なお、軸交叉方向へのケース体２０の移動スペースが制限されており（例えば上方には移動可能であるが、左右及び下方には移動不可であり）、２つのケース体２０を同時に取外すことができない場合、一方のケース体２０（例えば第２ケース体１２）を取外した後（例えば上方へ引き上げて取外した後）、他方のケース体２０（例えば第１ケース体１１）を取外し可能な位置まで回転移動させて取外す（例えば上方へ引き上げて取外す）というように、２つのケース体２０を１つずつ取外しもよい。
【００５２】
このように、ローラ１をローラケース１０に収納する場合や収納されたローラ１をローラケース１０から取出す場合、ローラ１を軸方向（前後方向）ではなく軸交叉方向（上下方向）に移動させるので、収納や取出しの作業を容易に行うことできる。また、収納時や取出し時にローラ本体２がローラケース１０（第１ケース体１１）に接触し難く、ローラ本体２の変形や損傷や汚れを確実に防止することができる。
【００５３】
また、作業者は、ローラ１の収納時や取出し時において、前後の軸端面穴６ａに指先を引っ掛けて回転軸５を支持した状態で、ローラ１（回転軸５）を昇降させることができ、作業性が向上する。
【００５４】
また、ローラ収納状態における回転軸５の軸方向及び軸交叉方向の移動は、ストッパ挿入部２９及びケース前端面部３３と後側ストッパ挿入部３０及びケース後端面部３４とによって阻止されるので、ローラ１をローラケース１０に収納して搬送する際等に、ローラケース１０との接触に起因するローラ本体２の変形や損傷や汚れを確実に防止することができる。
【００５５】
さらに、ローラ収納状態のローラ１を装置４０に装着する場合、作業者は、ローラ収納状態のままローラ１を装置４０に装着して軸装着状態とした後、第１ケース体１１と第２ケース体１２との係合を解除して第１ケース体１１及び第２ケース体１２をローラ１から取外すことができる。従って、作業者は、収納されたローラ１を装置４０に装着する際にローラ本体２を把持してローラケース１から取出す必要がなく、ローラ装着時のローラ本体２の変形や損傷や汚れを確実に防止することができる。
【００５６】
次に、本発明の第２実施形態について、図７〜図１２を参照して説明する。第２実施形態のローラケース５０は、前後のフランジ（前側フランジ５１及び後側フランジ５２）によってローラ支持軸３の前端側及び後端側を支持したものであり、第１実施形態と共通する構成については、同一の符号を付してその説明を省略する。
【００５７】
図７〜図１２に示すように、本実施形態のローラ支持軸３は、回転軸５を備えるが第１実施形態のような前後のストッパ７は備えず、ローラ支持軸３の前端側及び後端側の軸端部４（回転軸端部６）には、軸落下規制部材としてのフランジ（前側フランジ５１及び後側フランジ５２）が着脱自在に取付けられる。
【００５８】
前後のフランジ５１，５２は、ローラ本体２の外径よりも大きい外径を有するドーナツ板状である。フランジ５１，５２は、硬質の金属製や樹脂製等であり、例えばＰＰ、ＰＥ、ＡＢＳなどによって形成されている。フランジ５１，５２は、ケース体２０よりも高い面剛性を有するように（ケース体２０よりも変形し難いように）構成されている。フランジ５１，５２の面剛性をケース体２０よりも高くする構成は、フランジ５１，５２をケース体２０よりも硬質な素材によって形成する（例えば、フランジ５１，５２を金属板によって形成する）ことや、フランジ５１，５２をケース体２０よりも厚肉に形成することによって得ることが可能であり、本実施形態では、フランジ５１，５２をケース体２０よりも厚肉の樹脂板によって形成している。
【００５９】
前後の各フランジ５１，５２の中心部には、軸端部４（回転軸端部６）の外径と略同じか僅かに大きい内径を有する軸挿通孔５３が形成され、軸挿通孔５３を軸端部４が挿通した状態で、前後の軸端部４に前後のフランジ５１，５２がそれぞれ着脱可能に取付けられる。
【００６０】
前後のフランジ５１，５２は、ローラ支持軸３（回転軸５）から軸交叉方向に分かれて離脱可能な複数の分割フランジ（分割板）５４を組合せることにより構成される。本実施形態の各フランジ５１，５２は、略同一の大きさ及び形状の２枚の分割フランジ５４によって構成され、その分割面（組合面）はフランジ５１，５２の直径方向に沿って設定されている。ローラ支持軸３に対するフランジ５１，５２の取付状態（２枚の分割フランジ５４を組合せた状態）は、フランジ５１，５２を第１ケース体１１及び第２ケース体１２の後述するフランジ係合溝（軸落下規制部材係合溝）５５，５６に係合し、第１ケース体１１と第２ケース体１２とを閉じてローラ収納状態とすることにより保持される。
【００６１】
前後のフランジ５１，５２を軸端部４に取付けた状態で、各フランジ５１，５２の外周縁部の全域は、ローラ本体２の外周面よりもローラ本体２の径方向外側へ突出する。本実施形態の軸端部４には、フランジ５１，５２とローラ本体２の端面との接触を防止するための段差５７が形成されている。
【００６２】
なお、前側フランジ５１及び後側フランジ５２の一方のみを設け、他方側の軸端部４を直接ケース体２０に支持してもよい。また、各フランジ５１，５２を、３枚以上の分割フランジを組合せることにより構成してもよい。
【００６３】
本実施形態のローラケース５０も、第１実施形態と同様に、同一形状の２つのケース体２０を第１ケース体１１及び第２ケース体１２として用いる。ケース体２０の前後のベース短面部２５には、第１実施形態のストッパ挿入部２９，３０に代えて、フランジ５１，５２の外周と係合可能なフランジ係合溝（前側フランジ係合溝５５及び後側フランジ係合溝５６）が形成されている。フランジ係合溝５５，５６は、ベース短面部２５から軸交叉方向の一方側へ凹み、前後方向から視て半円弧状に延びる。
【００６４】
前側フランジ５１を構成する２枚の分割フランジ５４は、各分割フランジ５４の何れもが第１ケース体１１の前側フランジ係合溝５５と第２ケース体１２の前側フランジ係合溝５５の双方と係合する姿勢でローラ支持軸３に取付けられ、後側フランジ５２を構成する２枚の分割フランジ５４は、各分割フランジ５４の何れもが第１ケース体１１の後側フランジ係合溝５６と第２ケース体１２の後側フランジ係合溝５６の双方と係合する姿勢でローラ支持軸３に取付けられる。換言すると、ローラ支持軸３からの分割フランジ５４の離脱方向は、第１ケース体１１と第２ケース体１２との分離方向と相違する方向に設定されている。本実施形態では、第１ケース体１１と第２ケース体１２との分離方向とローラ支持軸３からの分割フランジ５４の離脱方向とが略直交するように、各方向が設定され、ケース体２０の各フランジ係合溝５５，５６には２枚の分割フランジ５４の略半分の領域がそれぞれ係合する。
【００６５】
前側フランジ係合溝５５は、前側フランジ５１の外周縁部の略半周分の領域と係合して、前側フランジ５１を径方向外側から支持するとともに、前側フランジ５１の軸方向への移動を規制する。後側フランジ係合溝５６は、後側フランジ５２の外周縁部の略半周分の領域と係合して、後側フランジ５２を径方向外側から支持するとともに、後側フランジ５２の軸方向への移動を規制する。
【００６６】
前側フランジ係合溝５５の前側と後側フランジ係合溝５６の後側とには、ベース短面部２５から円弧状に凹む溝形状の軸対向溝部５８がそれぞれ形成されている。軸対向溝部５８の内径は、回転軸端部６の外径よりも僅かに大きく設定され、軸対向溝部５８の内面は、回転軸端部６の外面と近接又は接触した状態で対向する。前側の軸対向溝部５８の前端は前開口３５を区画形成し、後側の軸対向溝部５８の後端は後開口３６を区画形成する。
【００６７】
なお、ローラケース１０に外力が作用しない通常の状態では、ローラ支持軸３の前端側及び後端側は、前側フランジ５１及び後側フランジ５２によって支持され、軸対向溝部５８によって支持されない。但し、本発明は、軸対向溝部５８によるローラ支持軸３（回転軸５）の支持を除外するものではなく、軸対向溝部５８とフランジ５１，５２とによってローラ支持軸３を支持してもよい。
【００６８】
また、各フランジ５１，５２の形状は、円板状に限定されず、回転軸５に取付けられた状態でフランジの外周縁部の略全域又は複数の領域がローラ本体２の外周面よりもローラ本体２の径方向外側へ突出する形状であればよい。フランジの外周縁部の複数の領域がローラ本体２の外周面よりも径方向外側へ突出する形状とした場合には、フランジを係る複数の領域で第１ケース体１１と第２ケース体１２との間に挟んで保持すればよい。
【００６９】
ローラケース１０にローラ１を収納する場合、ローラケース１０をケース開状態とし、第１ケース体１１を第１収容空間１５が上方へ開口する基準姿勢で置き、回転軸５に前後のフランジ５１，５２を組付けた状態（回転軸５の前後において２枚の分割フランジ５４をそれぞれ組合せた状態）で、第１ケース体１１の上方からローラ１を下降させ、第１ケース体１１の前後のフランジ係合溝５５，５６に前後のフランジ５１，５２をそれぞれ上方から挿入して係合する。係る回転軸載置状態では、ローラ本体２の下部が第１収容空間１５に収まり、ローラ本体２の外周面及び両端面の下側領域が第１カバー部１３に非接触状態で覆われる。
【００７０】
次に、係止突部３１と係合凹部３２との位置を合わせながら第１ケース体１１に反転姿勢の第２ケース体１２を上方から被せて、係止突部３１を係合凹部３２に係合する。係るローラ収納状態（ローラ１が収納されたケース閉状態）では、ローラ本体２の上部が第２収容空間１６に収まり、ローラ本体２の外周面及び両端面の上側領域が第２カバー部１４に非接触状態で覆われ、ローラ本体２がローラ本体収容空間１７に収容される。また、ローラ収納状態では、第２ケース体１２の前後のフランジ係合溝５５，５６に前後のフランジ５１，５２がそれぞれ下方から挿入して係合し、第１ケース体１１の前側フランジ係合溝５５及び後側フランジ係合溝５６と第２ケース体１２の前側フランジ係合溝５５及び後側フランジ係合溝５６との間で前後のフランジ５１，５２が軸交叉方向から挟まれて保持され、ローラ本体５の略全体が第１ケース体１１と第２ケース体１２とによって覆われる。ローラ支持軸３の軸方向及び軸交叉方向の移動は、前側フランジ５１及び後側フランジ５２によって阻止される。
【００７１】
ローラケース１０からローラ１を取出す場合、第２ケース体１２を第１ケース体１１から引き離すように持ち上げ、係止突部３１と係合凹部３２との係合を解除してケース開状態とし、軸端部４を両手で摘んでローラ１（回転軸５）を引き上げ、ローラ１を第１ケース体１１から取り出すとともに、前後のフランジ５１，５２（各分割フランジ５４）を回転軸５から外す。
【００７２】
また、ローラケース１０に収納されたローラ１を装置４０に装着する場合、第１実施形態と同様に、装置４０の前後の軸係合部４１，４２を十分に離間させた状態で、回転軸５をケース収納状態のまま軸係合部４１，４２の間に挿入し、前後の軸係合部４１，４２の一方又は双方を移動させて両者を徐々に近づけ、前側の回転軸端部６の軸端面穴６ａに支持凸部４３を挿入するとともに、後側の回転軸端部６を支持凹部４４に挿入することにより、回転軸５を軸係合部４１，４２によって前後から挟んで支持する。これにより、ローラ１は、ローラケース１０に収納された状態のまま装置４０に装着される。
【００７３】
ケース収納状態のローラ１を装置４０に装着した後、作業者は、第１ケース体１１と第２ケース体１２とを掴んで軸交叉方向へ引き離し、係止突部３１と係合凹部３２との係合を解除してケース開状態とし、ローラ１からケース体２０を取外すとともに、前後のフランジ５１，５２（各分割フランジ５４）を回転軸５から外す。
【００７４】
このように、ローラ本体２よりも大径な前側フランジ５１及び後側フランジ５２が第１ケース体１１（第１ケース体１１の前側フランジ係合溝５５及び後側フランジ係合溝５６）と第２ケース体１２（第２ケース体１２の前側フランジ係合溝５５及び後側フランジ係合溝５６）との間に挟まれることによってローラ支持軸３の前端側及び後端側が保持されるので、ローラ収納状態のローラケース１０に意図しない外力が作用した場合であっても、ローラ支持軸３の前端側及び後端側の保持が解除され難く、ローラ１をローラケース１０に収納して搬送する際等に、ローラケース１０との接触に起因するローラ本体２の変形や損傷や汚れを確実に防止することができる。
【００７５】
また、ローラ支持軸３の軸端部４がローラ本体２の端面から十分に突出していない場合であっても、前側フランジ５１及び後側フランジ５２を介してローラ支持軸３の前端側及び後端側を確実に支持することができる。
【００７６】
さらに、フランジ５１，５２を、ローラ支持軸３から軸交叉方向に分かれて離脱可能な２枚の分割フランジ５４を組合せて構成しているので、ローラ１をローラ収納状態のまま装置４０に装着して軸装着状態とし、第１ケース体１１と第２ケース体１２との係合を解除して第１ケース体１１及び第２ケース体１２をローラから取外す際に、フランジ５１，５２を複数の分割フランジ５４に分割してローラ支持軸３から取外すことができる。
【００７７】
なお、本発明は、一例として説明した上述の実施形態、及びその実施例に限定されることはなく、上述の実施形態等以外であっても、本発明に係る技術的思想を逸脱しない範囲であれば、設計等に応じて種々の変更が可能である。
【００７８】
例えば、ローラ支持軸３の軸端部４がストッパ７を有さず、図１３に示すように、ケース本体２０に回転軸端部６を支持する軸支持部５９が形成されている場合、ケース端面部（移動規制部）６０を軸支持部５９の端面から径方向内側へ突出させ、回転軸端部６の端面をケース端面部６０に当接させることにより軸方向へのローラ支持軸３の移動を規制してもよい。また、ローラ支持軸３の軸端部４（回転軸端部６）に凹形状又は凸形状を形成し、回転軸端部６の凹形状又は凸形状と係合する凸形状又は凹形状をケース本体２０に形成し、ケース本体２０側の凸形状又は凹形状を、軸方向へのローラ支持軸３の移動を規制する移動規制部としてもよい。一例として、図１４に示すように、回転軸端部６に環状の係合溝６１を形成し、ケース本体２０の軸支持部５９に係合溝６１に挿入されて係合する環状の又は複数の係止突起（移動規制部）６２を形成し、係止突起６２と係合溝６１との係合により軸方向へのローラ支持軸３の移動を規制してもよい。
【産業上の利用可能性】
【００７９】
本発明は、弾性多孔質材からなるローラ本体が回転軸に支持されたローラを収納するためのローラケースとして有用である。
【符号の説明】
【００８０】
１：ローラ
２：ローラ本体
３：ローラ支持軸
４：軸端部（係合部）
５：回転軸
６：回転軸端部（係止部）
６ａ：軸端面穴
７：ストッパ
８：雄ネジ
９：雌ネジ
１０，５０：ローラケース
１１：第１ケース体（下ケース）
１２：第２ケース体（上ケース）
１３：第１カバー部
１４：第２カバー部
１５：第１収容空間
１６；第２収容空間
１７：ローラ本体収容空間
１８：前開口孔
１９：後開口孔
２０：ケース体
２１：ベース面部
２２：カバー部
２３：収容空間
２４：ベース長面部
２５：ベース短面部
２６：カバー側面部
２７：カバー端面部
２８：カバー頂面部
２９：前側ストッパ挿入部（第１支持部、第２支持部）
３０：後側ストッパ挿入部（第１支持部、第２支持部）
３１：係止突部
３２：係合凹部
３３：ケース前端面部（移動規制部）
３４：ケース後端面部（移動規制部）
３５：前開口（第１開口部、第２開口部）
３６：後開口（第１開口部、第２開口部）
４０：装置
４１，４２：軸係合部
４３：支持凸部
４４：支持凹部
５１：前側フランジ（軸落下規制部材）
５２：後側フランジ（軸落下規制部材）
５３：軸挿通孔
５４：分割フランジ（分割板）
５５：前側フランジ係合溝（軸落下規制部材係合溝）
５６：後側フランジ係合溝（軸落下規制部材係合溝）
５７：段差
５８：軸対向溝部
５９：軸支持部
６０：ケース端面部（移動規制部）
６１：係合溝
６２：係止突起（移動規制部）
【図１】
2019156417.tif 000003
【図２】
2019156417.tif 000004
【図３】
2019156417.tif 000005
【図４】
2019156417.tif 000006
【図５】
2019156417.tif 000007
【図６】
2019156417.tif 000008
【図７】
2019156417.tif 000009
【図８】
2019156417.tif 000010
【図９】
2019156417.tif 000011
【図１０】
2019156417.tif 000012
【図１１】
2019156417.tif 000013
【図１２】
2019156417.tif 000014
【図１３】
2019156417.tif 000015
【図１４】
2019156417.tif 000016